(57)【特許請求の範囲】
【請求項１】
車両のアクセル操作に基づき定まるエンジンの要求駆動力に対して駆動力を調整する駆動力調整処理を含むトラクション制御処理を実行し、前記駆動力調整処理中に前記トラクション制御に使用するセンサに異常が発生したことを検出した場合に、前記駆動力調整処理を中止する制御部を有する駆動力制御装置において、
前記制御部は、前記センサに異常が発生したことを検出したときに前記駆動力調整処理を中止した状態で、前記駆動力を要求駆動力に追従させる駆動力制御処理を実行しながら、前記要求駆動力が増加した場合には、前記駆動力を前記要求駆動力より低下させるように前記駆動力の変化特性を前記要求駆動力の変化特性に対して偏位させるフェール処理を行うことを特徴とする駆動力制御装置。
【請求項２】
前記駆動力制御装置は、前記フェール処理を終了させるスイッチに電気的に接続されることを特徴とする請求項１に記載の駆動力制御装置。
【請求項３】
前記制御部は、実スロットル開度の変化速度を目標スロットル開度の変化速度よりも遅くすることにより前記フェール処理を行うことを特徴とする請求項１又は２に記載の駆動力制御装置。
【請求項４】
前記制御部は、目標スロットル開度に実スロットル開度を追従させながら実スロットル開度を少なくとも１回間欠的に低下させることにより前記フェール処理を行うことを特徴とする請求項１又は２に記載の駆動力制御装置。
【請求項５】
前記制御部は、実スロットル開度に上限値を設けることにより前記フェール処理を行うことを特徴とする請求項１又は２に記載の駆動力制御装置。
【発明の詳細な説明】
【技術分野】
【０００１】
本発明は、駆動力制御装置に関し、特に、車両の駆動力を制御する駆動力制御装置に関する。
【背景技術】
【０００２】
近年、車両の発進時や走行時の挙動の安定性を向上するために、車両の駆動力を制御する駆動力制御装置が提案されてきている。
【０００３】
このような駆動力制御装置では、車両に搭載された種々のセンサの検出情報を用いて、車両の駆動力を制御する構成を採用しているため、これらの種々のセンサに故障や断線等の異常が発生する事態も考えられる。
【０００４】
かかる状況下で、特許文献１は、トラクション制御装置に関し、車両のアクセル操作に基づき定まるエンジンの要求駆動力に対してトラクション制御が作動されている際にトラクション制御に使用するセンサに異常が発生した場合には、トラクション制御を非作動とすることを運転者に報知した上でトラクション制御を非作動とする構成を開示する。
【先行技術文献】
【特許文献】
【０００５】
【特許文献１】特開２０１２−２０２２８５号公報
【発明の概要】
【発明が解決しようとする課題】
【０００６】
しかしながら、本発明者の検討によれば、特許文献１の構成においては、トラクション制御が作動されている際にトラクション制御に使用するセンサに異常が発生した場合には、トラクション制御を非作動とすることを運転者に報知した上でトラクション制御を非作動とするものではあるが、トラクション制御が非作動状態にある際に運転者のアクセル操作に応じて要求駆動力が増加した場合には、駆動輪が不要に空転する可能性が考えられて改善の余地がある。特に、運転者がトラクション制御を非作動とする旨の報知に気づかなかった場合には、運転者がアクセル開度を急増させることによって駆動輪が急に空転する可能性がより高くなると考えられる。
【０００７】
本発明は、以上の検討を経てなされたものであり、駆動力の調整処理が非作動状態にあることを運転者に気づかせると共に、駆動力の調整処理が非作動状態にあるときに要求駆動力が増加した場合に駆動輪が不要に空転することを抑制可能な駆動力制御装置を提供することを目的とする。
【課題を解決するための手段】
【０００８】
以上の目的を達成するべく、本発明は、車両のアクセル操作に基づき定まるエンジンの要求駆動力に対して駆動力を調整する駆動力調整処理を含むトラクション制御処理を実行し、前記駆動力調整処理中に前記トラクション制御に使用するセンサに異常が発生したことを検出した場合に、前記駆動力調整処理を中止する制御部を有する駆動力制御装置において、前記制御部は、前記センサに異常が発生したことを検出したときに前記駆動力調整処理を中止した状態で、前記駆動力を要求駆動力に追従させる駆動力制御処理を実行しながら、前記要求駆動力が増加した場合には、前記駆動力を前記要求駆動力より低下させるように前記駆動力の変化特性を前記要求駆動力の変化特性に対して偏位させるフェール処理を行うことを第１の局面とする。
【０００９】
また、本発明は、第１の局面に加えて、前記駆動力制御装置は、前記フェール処理を終了させるスイッチに電気的に接続されることを第２の局面とする。
【００１０】
また、本発明は、第１又は第２の局面に加えて、前記制御部は、実スロットル開度の変化速度を目標スロットル開度の変化速度よりも遅くすることにより前記フェール処理を行うことを第３の局面とする。
【００１１】
また、本発明は、第１又は第２の局面に加えて、前記制御部は、目標スロットル開度に実スロットル開度を追従させながら実スロットル開度を少なくとも１回間欠的に低下させることにより前記フェール処理を行うことを第４の局面とする。
【００１２】
また、本発明は、第１又は第２の局面に加えて、前記制御部は、実スロットル開度に上限値を設けることにより前記フェール処理を行うことを第５の局面とする。
【発明の効果】
【００１３】
以上の本発明の第１の局面にかかる駆動力制御装置によれば、制御部が、センサに異常が発生したことを検出したときに駆動力調整処理を中止した状態で、駆動力を要求駆動力に追従させる駆動力制御処理を実行しながら、要求駆動力が増加した場合には、駆動力を要求駆動力より低下させるように駆動力の変化特性を要求駆動力の変化特性に対して偏位させるフェール処理を行うものであるため、駆動力調整処理が非作動状態にあることを運転者に気づかせると共に、駆動力調整処理が非作動状態にあるときに要求駆動力が増加した場合に駆動輪が不要に空転することを抑制することができる。
【００１４】
また、本発明の第２の局面にかかる駆動力制御装置によれば、駆動力制御装置が、フェール処理を終了させるスイッチに電気的に接続されるものであるため、駆動力調整処理が非作動状態にあることに気づいた運転者は、かかるスイッチを操作することによってフェール処理を終了させることにより、自己のアクセル操作の意のままに車両の駆動力を発揮させることができる。
【００１５】
また、本発明の第３の局面にかかる駆動力制御装置によれば、制御部が、実スロットル開度の変化速度を目標スロットル開度の変化速度よりも遅くすることによりフェール処理を行うものであるため、駆動力調整処理が非作動状態にあることを運転者に気づかせながら、最終的には実駆動力を要求駆動力に一致させることができる。
【００１６】
また、本発明の第４の局面にかかる駆動力制御装置によれば、制御部が、目標スロットル開度に実スロットル開度を追従させながら実スロットル開度を少なくとも１回間欠的に低下させることによりフェール処理を行うものであるため、要求駆動力に対する実駆動力の設定自由度を、駆動力調整処理が非作動状態にあることを運転者に気づかせる範囲内で高めることができる。
【００１７】
また、本発明の第５の局面にかかる駆動力制御装置によれば、制御部が、実スロットル開度に上限値を設けることによりフェール処理を行うものであるため、最終的には実駆動力を要求駆動力に一致させることができないが、駆動力調整処理が非作動状態にあることを運転者に気づかせることができる。
【図面の簡単な説明】
【００１８】
【図１】図１は、本発明の実施形態における駆動力制御装置の構成を示すブロック図である。
【図２】図２は、本実施形態における駆動力制御装置が実行する駆動力制御処理の流れを示すフローチャートである。
【図３】図３は、本実施形態における駆動力制御装置が実行する駆動力制御処理中の第１の変形例を含むフェール処理を説明するための目標スロットル開度と実スロットル開度との関係を示すタイミングチャートである。
【図４】図４は、本実施形態における駆動力制御装置が実行する駆動力制御処理中の第２の変形例のフェール処理を説明するための目標スロットル開度と実スロットル開度との関係を示すタイミングチャートである。
【発明を実施するための形態】
【００１９】
以下、図面を適宜参照して、本発明の実施形態における駆動力制御装置につき、詳細に説明する。
【００２０】
〔駆動力制御装置の構成〕
まず、図１を参照して、本実施形態における駆動力制御装置の構成につき、詳細に説明する。
【００２１】
図１は、本実施形態における駆動力制御装置の構成を示すブロック図である。
【００２２】
図１に示すように、本実施形態における駆動力制御装置１は、図示を省略する２輪自動車等の車両に搭載され、車両が備える図示を省略するバッテリ等の電源から供給される電力を利用して動作する。駆動力制御装置１は、ＣＰＵ（Ｃｅｎｔｒａｌ  Ｐｒｏｃｅｓｓｉｎｇ  Ｕｎｉｔ）やメモリ等を有するマイクロコンピュータ等の演算処理装置であり、典型的にはＥＣＵ（Ｅｌｅｃｔｒｏｎｉｃ  Ｃｏｎｔｒｏｌ  Ｕｎｉｔ）である。駆動力制御装置１は、メモリから必要な制御プログラム及び制御データを読み出して、後述する駆動力制御処理用等の制御プログラムを実行する。
【００２３】
具体的には、駆動力制御装置１は、スリップ率演算部１１、駆動力演算制御部１２、及びモータ駆動回路１３を備える。スリップ率演算部１１及び駆動力演算制御部１２は、ＣＰＵの機能ブロックである。また、駆動力制御装置１には、切換ボタン２１、スロットルポジションセンサ２２、クランク角センサ２３、ギアポジションセンサ２４、アクセル開度センサ２５、大気温度センサ２６、大気圧センサ２７、後輪速センサ２８、前輪速センサ２９、及びスロットルモータ３０が電気的に接続されている。なお、このような各種入力側接続部品用の駆動力制御装置１内の各種入力回路については、図示を省略する。
【００２４】
スリップ率演算部１１は、後輪速センサ２８によって検出された図示を省略する後輪の回転速度と前輪速センサ２９によって検出された図示を省略する前輪の回転速度とに基づいて、前後輪間のスリップ率を演算する。
【００２５】
駆動力演算制御部１２は、切換ボタン２１からの切換信号、スロットルポジションセンサ２２によって検出された車両のスロットルバルブの開度（実スロットル開度）、クランク角センサ２３によって検出された車両のクランク軸の回転角度、ギアポジションセンサ２４によって検出された車両の変速機のギアポジション、アクセル開度センサ２５によって検出された車両のアクセル操作部材の操作量（アクセル開度）、大気温度センサ２６によって検出されたエンジンの周囲の大気の温度（大気温度）、及び大気圧センサ２７によって検出されたエンジンの周囲の大気の圧力（大気圧）に基づいて車両の駆動輪の駆動力を演算して、モータ駆動回路１３を介してスロットルモータ３０を制御することにより、車両のアクセル操作に基づき定まるエンジンの要求駆動力に対して車両の駆動力を調整する駆動力の調整処理（以下、駆動力調整処理と記す）を含むトラクション制御処理（以下、駆動力制御処理と記す）を実行する。ここで、駆動力調整処理には、車両のアクセル操作に基づき定まるエンジンの要求駆動力に対して、車両の駆動力を低下又は増加させる処理を含む。なお、車両が２輪自動車である場合には、後輪が駆動輪で、前輪は従動輪である。また、スロットルバルブ、クランク軸、変速機、及びアクセル操作部材については、図示を省略する。
【００２６】
モータ駆動回路１３は、駆動力演算制御部１２からの制御信号に応じて、モータ駆動回路１３を介してスロットルモータ３０を制御する
【００２７】
切換ボタン２１は、駆動力制御処理の実行の許可／禁止を手動で切り換えるオン／オフのスイッチであり、その切換信号を駆動力演算制御部１２に出力する。
【００２８】
スロットルポジションセンサ２２は、車両の実スロットル開度を検出し、このように検出した実スロットル開度を示す電気信号を駆動力演算制御部１２に出力する。
【００２９】
クランク角センサ２３は、車両のクランク軸の回転角度を検出し、このように検出したクランク軸の回転角度を示す電気信号を駆動力演算制御部１２に出力する。
【００３０】
ギアポジションセンサ２４は、車両のギアポジションを検出し、このように検出したギアポジションを示す電気信号を駆動力演算制御部１２に出力する。
【００３１】
アクセル開度センサ２５は、車両のアクセル開度を検出し、このように検出したアクセル開度を示す電気信号を駆動力演算制御部１２に出力する。
【００３２】
大気温度センサ２６は、エンジンの周囲の大気温度を検出し、このように検出した大気温度を示す電気信号を駆動力演算制御部１２に出力する。
【００３３】
大気圧センサ２７は、エンジンの周囲の大気圧を検出し、このように検出した大気圧を示す電気信号を駆動力演算制御部１２に出力する。
【００３４】
後輪速センサ２８は、車両の後輪の回転速度を検出し、このように検出した後輪の回転速度を示す電気信号をスリップ率演算部１１に出力する。
【００３５】
前輪速センサ２９は、車両の前輪の回転速度を検出し、このように検出した前輪の回転速度を示す電気信号をスリップ率演算部１１に出力する。
【００３６】
スロットルモータ３０は、モータ駆動回路１３からの駆動信号に従ってスロットルバルブを開閉駆動する。
【００３７】
このような構成を有する駆動力制御装置１は、以下に示す駆動力制御処理を実行することにより、駆動力調整処理を含む駆動力制御処理が非作動状態にあることを運転者に気づかせると共に、要求駆動力が増加した場合に駆動輪が不要に空転することを抑制する。以下、更に図２から図４をも参照して、本実施形態における駆動力制御装置１が実行する駆動力制御処理の流れにつき、詳細に説明する。
【００３８】
〔駆動力制御処理〕
図２は、本実施形態における駆動力制御装置が実行する駆動力制御処理の流れを示すフローチャートである。図３は、本実施形態における駆動力制御装置が実行する駆動力制御処理中の第１の変形例を含むフェール処理を説明するための目標スロットル開度と実スロットル開度との関係を示すタイミングチャートである。また、図４は、本実施形態における駆動力制御装置が実行する駆動力制御処理中の第２の変形例のフェール処理を説明するための目標スロットル開度と実スロットル開度との関係を示すタイミングチャートである。
【００３９】
図２のフローチャートに示すように、本実施形態における駆動力制御処理は、車両の図示を省略するイグニッションスイッチがオン状態になり、駆動力制御装置１に対して電力が供給されてそれが稼働し、かつ、駆動力制御装置１が切換ボタン２１から出力される切換信号に応じて駆動力制御処理の実行が許可されている実行許可状態であるときに開始となり、駆動力制御処理はステップＳ１の処理に進む。なお、かかる駆動力制御処理は、実行許可状態が維持される間、所定の制御周期毎に繰り返し実行され、実行許可状態が維持されなくなったタイミングで停止する。
【００４０】
ステップＳ１の処理では、駆動力演算制御部１２が、車両の状態が駆動力制御処理で駆動力を低下又は増加させる駆動力調整処理中の状態であるか否かを判別する。かかる駆動力調整処理は、後輪速センサ２８によって検出された後輪の回転速度と前輪速センサ２９によって検出された前輪の回転速度とからスリップ率演算部１１によって演算されるスリップ率が所定値以上になったときに、駆動力演算制御部１２が判別したタイミングで開始されるものである。車両の状態が駆動力調整処理中の状態であるか否かは、駆動力演算制御部１２が、例えば、駆動力制御処理において駆動力調整処理中にオン状態になるフラグの状態を検出することによって判別する。そして、駆動力演算制御部１２は、車両の状態が駆動力調整処理中の状態であると判別するまでは、ステップＳ１の処理を繰り返し、車両の状態が駆動力調整処理中の状態であると判別したタイミングで駆動力制御処理を次のステップＳ２の処理に進める。
【００４１】
ここで、図３及び図４においては、時刻Ｔ＝Ｔ１で、実スロットル開度を低下させて駆動力を低下させる駆動力調整処理が開始されている。
【００４２】
ステップＳ２の処理では、駆動力演算制御部１２が、駆動力制御処理に使用するセンサに断線等の異常が発生したか否かを判別する。このような駆動力制御処理に使用するセンサとしては、大気温度センサ２６、大気圧センサ２７、後輪速センサ２８、前輪速センサ２９、及び図示を省略するエンジン温度センサ等を例示することができる。また、かかるセンサに異常が発生したか否かは、駆動力演算制御部１２が、例えば、センサの出力信号の電圧がゼロ又は異常な高電圧を示すか否かを判別することによって判別する。判別の結果、駆動力制御処理に使用するセンサに異常が発生していない場合には、駆動力演算制御部１２は、駆動力制御処理をステップＳ１の処理に戻す。一方、駆動力制御処理に使用するセンサに異常が発生している場合には、駆動力演算制御部１２は、駆動力制御処理を次のステップＳ３の処理に進める。なお、エンジン温度センサとしては、エンジンの潤滑オイルの温度を検出する温度センサや、エンジンのクーラントの温度を検出する温度センサが使用可能である。
【００４３】
ここで、図３及び図４においては、時刻Ｔ＝Ｔ２で、駆動力制御処理に使用するセンサに異常が発生したと判別されている。
【００４４】
ステップＳ３の処理では、駆動力演算制御部１２が、モータ駆動回路１３を介してスロットルモータ３０を制御することによって、実スロットル開度を所定開度に維持する制御処理を実行する。つまり、駆動力演算制御部１２が駆動力制御処理に使用するセンサに異常が発生したと判別した場合には、駆動力演算制御部１２は、その判別したタイミング以降、実スロットル開度を一定、漸増及び漸減等の所定開度に設定する制御処理を実行する。これにより、ステップＳ３の処理は完了し、駆動力制御処理は次のステップＳ４の処理に進む。
【００４５】
ここで、図３及び図４においては、時刻Ｔ＝Ｔ２で、駆動力制御処理に使用するセンサに異常が発生したと判別されると共に、実スロットル開度を低下させる制御が実行されている。
【００４６】
ステップＳ４の処理では、駆動力演算制御部１２が、アクセル開度センサ２５によって検出されたアクセル開度から求められる目標スロットル開度がスロットルポジションセンサ２２によって検出される実スロットル開度未満であるか否かを判別する。判別の結果、目標スロットル開度が実スロットル開度以上である場合には、駆動力演算制御部１２は、駆動力制御処理をステップＳ３の処理に戻す。一方、目標スロットル開度が実スロットル開度未満である場合には、駆動力演算制御部１２は、駆動力制御処理を次のステップＳ５の処理に進める。
【００４７】
ここで、図３及び図４においては、時刻Ｔ＝Ｔ３で、目標スロットル開度が実スロットル開度未満であると判別されている。
【００４８】
ステップＳ５の処理では、駆動力演算制御部１２が、駆動力調整処理を中止し、要求駆動力に駆動力を追従させるようにモータ駆動回路１３を介してスロットルモータ３０を制御することによって、実スロットル開度を目標スロットル開度に追従させる通常のスロットルモータ駆動制御を実行する。これにより、ステップＳ５の処理は完了し、駆動力制御処理は次にステップＳ６の処理に進む。
【００４９】
ここで、図３及び図４においては、時刻Ｔ＝Ｔ３で、駆動力調整処理が中止され、時刻Ｔ＝Ｔ３から時刻Ｔ＝Ｔ４までの期間で、実スロットル開度を目標スロットル開度に追従させる通常のスロットルモータ駆動制御が実行されている。
【００５０】
ステップＳ６の処理では、駆動力演算制御部１２が、アクセル開度センサ２５によって検出されたアクセル開度に基づいて目標スロットル開度が増加したか否かを判別する。判別の結果、目標スロットル開度が増加していない場合には、駆動力演算制御部１２は、駆動力制御処理をステップＳ５の処理に戻す。一方、目標スロットル開度が増加した場合には、駆動力演算制御部１２は、駆動力制御処理を次のステップＳ７の処理に進める。
【００５１】
ここで、図３及び図４においては、時刻Ｔ＝Ｔ４で、目標スロットル開度が増加したと判別されている。
【００５２】
ステップＳ７の処理では、駆動力演算制御部１２が、駆動力調整処理を再開し、要求駆動力を規制すべく駆動力の変化特性を要求駆動力の変化特性に対して偏位させるように、モータ駆動回路１３を介してスロットルモータ３０を制御することによって、実スロットル開度を制御するフェール処理を実行する。なお、かかるフェール処理は、駆動力調整処理の範囲内に含まれる処理ではなく、それとは別の処理として扱ってもよい。また、本実施形態のフェール処理を含む駆動力調整処理では、実スロットル開度によって駆動力を制御する例で説明しているが、これに限らず、点火時期や燃料噴射量を制御することによって駆動力を制御してもよい。
【００５３】
具体的には、駆動力演算制御部１２は、図３に実線で示すように、時間Ｔ＝Ｔ４以降、実線で示す実スロットル開度を車両の加速が鈍る方向に偏位させる（開かなくする、遅らせる）、換言すれば実スロットルの変化速度を目標スロットル開度の変化速度より遅くすることによって、駆動力を要求駆動力より低下させる。
【００５４】
また、第１の変形例として、駆動力演算制御部１２は、図３に一点鎖線で示すように、時間Ｔ＝Ｔ４以降、実スロットル開度に上限値を設けることによって、駆動力を要求駆動力より低下させるようにしてもよい。
【００５５】
また、第２の変形例として、駆動力演算制御部１２は、図４に実線で示すように、少なくとも１回以上実スロットル開度を間欠的に低下させることによって、駆動力を要求駆動力より低下させるようにしてもよい。この場合には、実スロットル開度の低下量及び低下継続時間は、車両の種別等を考慮して、任意に設定することができる。なお、ステップＳ３の処理で説明した駆動力制御処理に使用するセンサの異常が検出された際の実スロットル開度を所定開度に維持する制御処理で、このような実スロットル開度を間欠的に低下させる処理を実行してもよい。
【００５６】
ここで、かかるフェール処理は、切換ボタン２１の操作によって駆動力制御処理が禁止されるまでの間で有効となる。つまり、運転者は、切換ボタン２１を手動で操作することによって駆動力調整処理（フェール処理を含む）を実行する駆動力制御処理を禁止させることにより、駆動力制御処理が全く介入しない通常のスロットルモータ駆動制御による通常の車両駆動状態を選択することができ、自己のアクセル操作の意のままに車両の駆動力を発揮させることができる。
【００５７】
これにより、ステップＳ７の処理は完了し、今回の一連の駆動力制御処理は終了する。
【００５８】
以上の説明から明らかなように、本実施形態における駆動力制御装置１では、制御部（駆動力演算制御部）１２が、センサに異常が発生したことを検出したときに駆動力調整処理を中止した状態で要求駆動力が増加した場合には、要求駆動力を規制するように駆動力の変化特性を要求駆動力の変化特性に対して偏位させるフェール処理を行うものであるため、要求駆動力の規制による車両の加速特性の変化により駆動力調整処理が非作動状態にあることを運転者に気づかせると共に、駆動力調整処理が非作動状態にあるときに要求駆動力が増加した場合に駆動輪が不要に空転することを抑制することができる。
【００５９】
また、本実施形態における駆動力制御装置１では、それが、フェール処理を終了させるスイッチ（切換ボタン）２１に電気的に接続されるものであるため、駆動力調整処理が非作動状態にあることに気づいた運転者は、かかるスイッチを操作することによってフェール処理を終了させることにより、自己のアクセル操作の意のままに車両の駆動力を発揮させることができる。
【００６０】
また、本実施形態における駆動力制御装置１では、制御部１２が、実スロットル開度の変化速度を目標スロットル開度の変化速度よりも遅くすることによりフェール処理を行うものであるため、センサの異常時にはセンサの正常時とは異なる車両の加速特性の変化により駆動力調整処理が非作動状態にあることを運転者に気づかせながら、最終的には実駆動力を要求駆動力に一致させることができる。
【００６１】
また、本実施形態における駆動力制御装置１では、制御部１２が、目標スロットル開度に実スロットル開度を追従させながら実スロットル開度を少なくとも１回間欠的に低下させることによりフェール処理を行うものであるため、要求駆動力に対する実駆動力の設定自由度を、駆動力調整処理が非作動状態にあることを運転者に気づかせる範囲内で高めることができる。
【００６２】
また、本実施形態における駆動力制御装置１では、制御部１２が、実スロットル開度に上限値を設けることによりフェール処理を行うものであるため、最終的には実駆動力を要求駆動力に一致させることができないが、駆動力調整処理が非作動状態にあることを運転者に気づかせることができる。
【００６３】
なお、本発明は、部材の種類、形状、配置、個数等は前述の実施形態に限定されるものではなく、その構成要素を同等の作用効果を奏するものに適宜置換する等、発明の要旨を逸脱しない範囲で適宜変更可能であることはもちろんである。
【産業上の利用可能性】
【００６４】
以上のように、本発明は、駆動力の調整処理が非作動状態にあることを運転者に気づかせると共に、駆動力の調整処理が非作動状態にあるときに要求駆動力が増加した場合に駆動輪が不要に空転することを抑制可能な駆動力制御装置を提供することができるものであり、その汎用普遍的な性格から２輪自動車等の車両用の駆動力制御装置に広く適用され得るものと期待される。
【符号の説明】
【００６５】
１…駆動力制御装置
１１…スリップ率演算部
１２…駆動力演算制御部
１３…モータ駆動回路
２１…切換ボタン
２２…スロットルポジションセンサ
２３…クランク角センサ
２４…ギアポジションセンサ
２５…アクセル開度センサ
２６…大気温度センサ
２７…大気圧センサ
２８…後輪速センサ
２９…前輪速センサ
３０…スロットルモータ
【図１】
0006404073.tif 000002
【図２】
0006404073.tif 000003
【図３】
0006404073.tif 000004
【図４】
0006404073.tif 000005